(57)【要約】【課題】装置購入・設置費用の削減、燃料費の節減、装置メンテナンスの省力化を実現する。【解決手段】温室施設内を暖房する温風暖房機１０を備え、温風暖房機の燃焼排気マフラ１０内に熱吸収部２１を形成し、熱吸収部２１を通過した温湯を溜めると共に給水が可能な温湯蓄熱タンク２０と、温湯蓄熱タンク２０内に溜められた温湯を温室施設内圃場の地中を通過させ熱吸収部２１を経由して温湯蓄熱タンク２０内に帰還させる温湯循環経路２２と、温湯蓄熱タンク２０内の温湯の一部を溜めると共に給水が可能な灌水用温湯タンク３０と、灌水用温湯タンク３０に溜められた温湯を施設内の灌水口３１Ａに送る灌水供給路３１とを備える。【選択図】図１
0003117519.tif 000002
【実用新案登録請求の範囲】
【請求項１】
温室施設内での暖房，地中加温，灌水を行う温室施設装置であって、
前記温室施設内を暖房する温風暖房機を備え、
該温風暖房機の燃焼排気経路内に熱吸収部を形成し、
前記熱吸収部を通過した温湯を溜めると共に給水が可能な温湯蓄熱タンクと、該温湯蓄熱タンク内に溜められた温湯を前記温室施設内圃場の地中を通過させ前記熱吸収部を経由して前記温湯蓄熱タンク内に帰還させる温湯循環部と、
前記温湯蓄熱タンク内の温湯の一部を溜めると共に給水が可能な灌水用温湯タンクと、該灌水用温湯タンクに溜められた温湯を前記温室施設内の灌水口に送る温湯灌水部とを備えることを特徴とする温室施設装置。
【請求項２】
前記温湯蓄熱タンク及び前記灌水用温湯タンクの給水は、前記温湯蓄熱タンク及び前記灌水用温湯タンク内に設けられた湯温センサによって検出された湯温が設定温度を超えた場合に開放する水温調整給水弁を介してなされることを特徴とする請求項１に記載された温室施設装置。
【請求項３】
前記温湯蓄熱タンクの給水は、前記温湯蓄熱タンク内に設けられた水位センサによって検出された水位が設定水位に満たない場合に開放する水位調整給水弁を介してなされることを特徴とする請求項１又は２に記載された温室施設装置。
【請求項４】
前記温湯循環部には、前記温湯蓄熱タンク内の湯温が設定温度未満の時に該温湯蓄熱タンク内の温湯を直接前記熱吸収部に送る切り換え経路を有することを特徴とする請求項１〜３のいずれかに記載された温室施設装置。
【請求項５】
前記温湯循環部は、前記温湯蓄熱タンク内の温湯を循環させるポンプを備え、該ポンプは前記温風暖房機の作動に連動して作動することを特徴とする請求項１〜４のいずれかに記載された温室施設装置。
【考案の詳細な説明】
【技術分野】
【０００１】
施設野菜の栽培や施設園芸等に用いられる温室施設内での暖房，地中加温，灌水を行う温室施設装置に関する。
【背景技術】
【０００２】
施設野菜の栽培や花卉等の施設園芸にはガラス温室やビニールハウス等の温室施設が用いられるが、この温室施設には、施設内の暖房を行う温風暖房機、地中加温を行う温湯機、圃場面への灌水を行う灌水装置等の施設装置が装備されている。
【０００３】
このような施設装置における温風暖房機としては、例えば下記特許文献１に記載のものが提案されている。この従来技術では、温風暖房機の熱源となるボイラ本体の熱交換部に、温室へ通じる送気パイプを連通して熱風を温室へ送気すると共に、ボイラ本体の燃焼部に通じた排気パイプに排熱交換装置を連通し、この排熱交換装置の熱交換部に温室に通じる環流パイプを連通することで、排熱を有効利用して温室内の温風暖房を行うことが提案されている。
【０００４】
また、地中加温を行うための温湯機としては、一般に、機内に設置された熱交換器の送水経路内にポンプで送水させ、この送水経路を水が通る際に熱交換器にバーナーの火を直接当て、その炎熱で湯を沸かし、その温湯を地中に配備した循環温湯経路に供給するものが採用されている。
【０００５】
また、灌水装置としても、温湯を灌水する場合には前述の温湯機と同様のものが用いられ、地中加温用の温湯機を共用する場合には地中加温用の循環温湯経路から分岐して圃場面への温湯灌水が行われている。
【０００６】
【特許文献１】特開平１０−１１７６０３号公報
【考案の開示】
【考案が解決しようとする課題】
【０００７】
このような従来の温室施設装置では、温風暖房用の熱源となるボイラと地中加温又は温湯灌水用の熱源となる温湯機が併設されているので、これらを設置するのに多額の費用を要することになり、また、温風暖房用のボイラと温湯機がそれぞれ独立に作動しているため、燃料費が嵩むと共にそれぞれの熱源のメンテナンスが煩雑になるという問題がある。また、熱交換器にバーナーの火を直接当て加温する温湯機を用いると、バーナー熱の大部分が排気熱として捨てられるので熱効率が悪く、燃費が嵩む問題がある。更には、循環型の温湯機を用いる場合には、循環パイプ内のエア抜きを定期的に行う必要があるので、更にメンテナンスが煩雑になる問題が生じる。
【０００８】
そして、灌水装置として、前述の熱交換器にバーナーの火を直接当て加温する温湯機を用いると、灌水開始時に冷水が灌水される不都合が生じると共に、灌水に適する水温に温度調整するのが困難であるという問題がある。
【０００９】
そのほか、日本国内での施設栽培が増え続けるなかで、社会的背景として、ＣＯ2増加、燃料費高騰による生産コストの増大等の問題が重要視されている。
【００１０】
本考案は、このような事情に対処するために提案されたものであって、装置購入・設置費用の削減、燃料費の節減、装置メンテナンスの省力化を実現すると同時に、ＣＯ2削減や燃料費節減による生産コストの低減を可能にすることを目的とするものである。
【課題を解決するための手段】
【００１１】
このような課題を解決するための本考案は、以下の特徴を有する。
一つには、温室施設内での暖房，地中加温，灌水を行う温室施設装置であって、前記温室施設内を暖房する温風暖房機を備え、該温風暖房機の燃焼排気経路内に熱吸収部を形成し、前記熱吸収部を通過した温湯を溜めると共に給水が可能な温湯蓄熱タンクと、該温湯蓄熱タンク内に溜められた温湯を前記温室施設内圃場の地中を通過させ前記熱吸収部を経由して前記温湯蓄熱タンク内に帰還させる温湯循環部と、前記温湯蓄熱タンク内の温湯の一部を溜めると共に給水が可能な灌水用温湯タンクと、該灌水用温湯タンクに溜められた温湯を前記温室施設内の灌水口に送る温湯灌水部とを備えることを特徴とする。
【００１２】
また一つには、前述の温室施設装置において、前記温湯蓄熱タンク及び前記灌水用温湯タンクの給水は、前記温湯蓄熱タンク及び前記灌水用温湯タンク内に設けられた湯温センサによって検出された湯温が設定温度を超えた場合に開放する水温調整給水弁を介してなされることを特徴とする。
【００１３】
また一つには、前述の温室施設装置において、前記温湯蓄熱タンクの給水は、前記温湯蓄熱タンク内に設けられた水位センサによって検出された水位が設定水位に満たない場合に開放する水位調整給水弁を介してなされることを特徴とする。
【００１４】
また一つには、前述の温室施設装置において、前記温湯循環部には、前記温湯蓄熱タンク内の湯温が設定温度未満の時に該温湯蓄熱タンク内の温湯を直接前記熱吸収部に送る切り換え経路を有することを特徴とする。
【００１５】
また一つには、前述の温室施設装置において、前記温湯循環部は、前記温湯蓄熱タンク内の温湯を循環させるポンプを備え、該ポンプは前記温風暖房機の作動に連動して作動することを特徴とする。
【考案の効果】
【００１６】
本考案の前述した特徴によると、以下の効果が得られる。
（１）温風暖房機の排熱を利用して地中加温及び温湯灌水を行うことで、熱源が一つでよく、且つ熱源の発熱を有効利用できるので、個別に熱源を有するものに対して装置購入・設置費用を削減することができると共に、燃料費を節減することができる。
【００１７】
（２）熱源を室内暖房，地中加温，温湯灌水で共用することで、熱源のメンテナンスを簡易・省力化することが可能になる。
【００１８】
（３）温湯蓄熱タンク内の温湯を地中に循環させるので、循環式の温湯機を用いる場合に要するパイプ内のエア抜きが不要になり、メンテナンスを簡素化することができる。
【００１９】
（４）温湯蓄熱タンク及び灌水用温湯タンク内に溜められた温湯の温度調整を湯温センサと水温調整給水弁によって行うので、地中加温及び灌水の湯温調整を容易に行うことができ、また、灌水開始時から設定された温度の温湯を灌水することができる。
【００２０】
（５）温湯蓄熱タンクの給水は、温湯蓄熱タンク内に設けられた水位センサによって検出された水位が設定水位に満たない場合に開放する水位調整給水弁を介してなされるので、灌水量に拘わらず、一定温度の温湯を温湯蓄熱タンク内に確保することができる。
【００２１】
（６）温湯循環部には、温湯蓄熱タンク内の湯温が設定温度未満の時に該温湯蓄熱タンク内の温湯を直接前記熱吸収部に送る切り換え経路を有するので、温湯蓄熱タンク内の湯温が低い場合には、速やかに加温することができ、所定温度の温湯によって地中加温を行うことができる。
【００２２】
（７）温湯循環部は、温湯蓄熱タンク内の温湯を循環させるポンプを備え、該ポンプは温風暖房機の作動に連動して作動するので、温風暖房機の非作動時にポンプによって冷たい水が循環されることがなく、適正に加温された温湯のみを地中に供給して適正な地中加温を行うことができる。
【考案を実施するための最良の形態】
【００２３】
以下、本考案の実施形態を図面に基づいて説明する。図１は、本考案の実施形態に係る温室施設装置の全体構成図であり、図２は、本考案の実施形態に係る温室施設装置の要部説明図である。
【００２４】
本考案の温室施設装置は、温風暖房機１０，熱吸収部２１，温湯蓄熱タンク２０，温湯循環部，灌水用温湯タンク３０，温湯灌水部を備え、温室施設内での暖房，地中加温，温湯灌水を行うものである。
【００２５】
温風暖房機１０は、温室施設外の外気を取り込んでボイラ等の熱源によって加熱し温風ダクト１１を介して温風排出口１１Ａから温風を温室施設内に供給するものである。この温風暖房機１０は、熱源の燃焼排気を温室施設外に排気するための燃焼排気マフラ１０Ａ（燃焼排気経路）を備えており、その燃焼排気マフラ１０Ａ内に熱吸収部２１が形成されている。熱吸収部２１は、例えば、螺旋状に加工した金属パイプ等によって形成することができ、燃焼排気マフラ１０Ａから排気される排熱を利用してパイプ内を流れる水を加温するものである。
【００２６】
温湯蓄熱タンク２０は、熱吸収部２１を通過した温湯を溜めると共に給水が可能なタンクであり、温湯循環部は、熱吸収部２１で加温されて温湯蓄熱タンク２０内に溜められた温湯を施設内圃場Ｆの地中を通過するように循環させるものであって、温湯循環経路２２と温湯循環ポンプ２３を備えるものである。
【００２７】
温湯循環経路２２は、熱吸収部２１を通過した温湯を温湯蓄熱タンク２０に送るために熱吸収部２１の一端から温湯蓄熱タンク２０内を連絡する経路と、温湯蓄熱タンク２０内に溜められた温湯を施設内圃場Ｆの地中を通過させて熱吸収部２１の他端に送る経路とがあり、温湯循環ポンプ２３によって、温湯蓄熱タンク２０内に溜められた温湯が温室施設内圃場Ｆの地中を通過し熱吸収部２１を経由して再び温湯蓄熱タンク２０内に帰還するようになっている。
【００２８】
灌水用温湯タンク３０は、温湯蓄熱タンク２０内の温湯の一部を溜めると共に給水が可能なタンクであって、温湯灌水部は、灌水口３１Ａを有する灌水給路３１と灌水供給ポンプ３２を備えるものであり、温湯蓄熱タンク２０内に溜められた温湯が連絡流路３３を介して灌水用温湯タンク３０に溜められ、その溜められた温湯が灌水供給ポンプ３２によって灌水供給路３１を通って灌水口３１Ａに送られるようになっている。
【００２９】
このような温室施設装置によると、従来は施設外に排気されていた温風暖房機１０の排熱を利用して地中加温と温湯灌水を行うことができる。また、温湯蓄熱タンク２０内で温湯を溜めてから、地中加温又は温湯灌水に利用するので、温湯蓄熱タンク２０内で温湯の温度を簡単に調整することができる。これによって各種の栽培に適した温度で地中加温と温湯灌水を行うことができる。更に、温湯蓄熱タンク２０内で温度管理された温湯を温湯灌水部に送って灌水するので、灌水開始時から適正な温度の温湯を灌水することができることになる。
【００３０】
図２によって装置の要部を更に詳細に説明する。
温風暖房機１０は、温風ファン１０Ｂを駆動することで加熱された温風を温風ダクト１１に送るものであり、その加熱時の燃焼排気が燃焼排気マフラ１０Ａを経由して温室施設外に排気されるものである。前述した熱吸収部２１は、燃焼排気マフラ１０Ａ内に螺旋状に巻かれたパイプを配備して、パイプの両端を燃焼排気マフラ１０Ａ外に引き出すことで形成することができる。温風ファン１０Ａは暖房機回路１０Ｃによって駆動されるが、この暖房機回路１０Ｃと温湯循環ポンプ２３の駆動回路がポンプ作動リレー１２を介して接続されており、温湯循環ポンプ２３は温風暖房機１０の作動に連動して作動するようになっている。
【００３１】
温湯蓄熱タンク２０には、給水弁Ｓ１，Ｓ２の給水口が給水ホースＳ１ａ，Ｓ２ａを介して接続され、灌水用温湯タンク３０には、給水弁Ｓ３，Ｓ４の給水口が給水ホースＳ３ａ，Ｓ４ａを介して接続されており、各タンクは給水可能になっている。そして、温湯蓄熱タンク２０と灌水用温湯タンク３０には、タンク内の温湯の温度を検出する湯温センサ４０，５０がそれぞれ設けられると共に、給水ホースＳ１ａ，Ｓ４ａには水温調整給水弁２０Ａ，３０Ａがそれぞれ設けられ、湯温センサ４０，５０で検出された湯温が設定温度を超えた場合に水温調整給水弁２０Ａ，３０Ａを開放する弁制御部４１，５１がそれぞれ設けられている。
【００３２】
このような温度管理設備を設けることで、タンク内に溜められた温湯を設定温度に維持することが可能になり、適正な温度での地中加温と温湯灌水を行うことが可能になる。この実施形態では、温湯蓄熱タンク２０と灌水用温湯タンク３０の両方に温度管理設備を装備した例を示したが、灌水用温湯タンク３０には温湯蓄熱タンク２０に溜められた温湯が送られるので、温湯蓄熱タンク２０のみに温度管理設備を設けても良い。
【００３３】
また、図示の実施形態における温湯蓄熱タンク２０と灌水用温湯タンク３０には、タンク内の水位を検出する水位センサ４２，５２がそれぞれ設けられると共に、給水ホースＳ２ａ，Ｓ３ａには水位調整給水弁２０Ｂ，３０Ｂがそれぞれ設けられ、水位センサ４２，５２で検出された水位が設定水位に満たない場合に水位調整給水弁２０Ｂ，３０Ｂが開放されるようになっている。これによると、タンク内の水位を一定に維持することが可能になり、灌水量に拘わらず、一定温度の温湯でタンク内が常に満たされることになる。
【００３４】
更に、このような装備に加えて、温湯循環経路２２に経路切り換え弁２４を設けると共に、温湯蓄熱タンク２０内の温湯を直接熱吸収部２１へ送る切り換え経路２２Ａを設けて、温湯蓄熱タンク２０内の湯温が設定温度未満の時に経路切り換え弁２４を切り換えて切り換え経路２２Ａへの流れを形成するような装備を設けることもできる。これによると、温湯蓄熱タンク２０内の温湯を短時間に適正温度に上昇させることができると共に、適正温度に上昇した温湯のみを地中加温或いは温湯灌水に利用することができる。
【００３５】
このような実施形態によると、温風暖房機１０の排熱を利用して地中加温及び温湯灌水を行うことで、熱源が一つでよく、且つ従来捨てられていた熱源の排熱を有効利用できるので、個別に熱源を有するものに対して装置購入・設置費用を削減することができると共に、燃料費を節減することができる。また、熱源を室内暖房，地中加温，温湯灌水で共用することで、熱源のメンテナンスを簡易・省力化することができる。
【００３６】
更に、温湯蓄熱タンク２０内の温湯を地中に循環させるので、循環式の温湯機を用いる場合に要するパイプ内のエア抜きが不要になり、メンテナンスを簡素化することができる。
【００３７】
また、温湯蓄熱タンク２０及び灌水用温湯タンク３０内に溜められた温湯の温度調整を湯温センサ４０，５０と水温調整給水弁２０Ａ，３０Ａによって行うので、地中加温及び灌水の湯温調整を容易に行うことができ、また、灌水開始時から設定された温度の温湯を灌水することができる。
【００３８】
更に、温湯蓄熱タンク２０の給水は、温湯蓄熱タンク２０内に設けられた水位センサ４２によって検出された水位が設定水位に満たない場合に開放する水位調整給水弁２０Ｂを介してなされるので、灌水量に拘わらず、一定温度の温湯を温湯蓄熱タンク内に確保することができる。
【００３９】
また、温湯循環部には、温湯蓄熱タンク２０内の湯温が設定温度未満の時に温湯蓄熱タンク２０内の温湯を直接熱吸収部２１に送る切り換え経路２２Ａを有するので、温湯蓄熱タンク２０内の湯温が低い場合には、速やかに加温することができ、所定温度の温湯によって地中加温を行うことができる。
【００４０】
また、温湯循環ポンプ２３は温風暖房機１０の作動に連動して作動するので、温風暖房機１０の非作動時に温湯循環ポンプ２３によって冷たい水が循環されることがなく、適正に加温された温湯のみを地中に供給して適正な地中加温を行うことができる。
【００４１】
そして、このような実施形態に係る温室施設装置によれば、省エネルギーによるＣＯ2削減が可能であると共に、燃料費節約によって栽培作物の生産コストを低減化することができることになる。
【図面の簡単な説明】
【００４２】
【図１】本考案の実施形態に係る温室施設装置の全体構成図である。
【図２】本考案の実施形態に係る温室施設装置の要部説明図である。
【符号の説明】
【００４３】
１０    温風暖房機
１０Ａ    燃焼排気マフラ（燃焼排気経路）
１０Ｂ    温風ファン
１０Ｃ    暖房機回路
１１    温風ダクト
１１Ａ    温風排出口
１２    ポンプ作動リレー
２０    温湯蓄熱タンク
２０Ａ    水温調整給水弁
２０Ｂ    水位調整給水弁
２１    熱吸収部
２２    温湯循環経路
２２Ａ    切り換え経路
２３    温湯循環ポンプ
２４    切り換え制御弁
３０    灌水用温湯タンク
３０Ａ    水温調整給水弁
３０Ｂ    水位調整給水弁
３１    灌水供給路
３１Ａ    灌水口
３２    灌水供給ポンプ
４０，５０    湯温センサ
４１，５１    弁制御部
４２，５２    水位センサ
Ｓ１，Ｓ２，Ｓ３，Ｓ４    給水弁
Ｓ１ａ，Ｓ２ａ，Ｓ３ａ，Ｓ４ａ    給水ホース
Ｆ  施設内圃場
【図１】
0003117519.tif 000003
【図２】
0003117519.tif 000004